(57)【要約】【課題】  テレビジョン受信機能の利便性を向上させる。【解決手段】  テレビジョン受信機能を有する移動体通信端末１００をクレードル２００に載置した場合、移動体通信端末１００はクレードル２００との接続を検出する。接続が検出されたことを契機に、移動体通信端末１００は、テレビジョン受信機能に関する設定情報を予め記憶しているか否かを判別し、設定情報がある場合は、当該設定情報に基づいた受信動作を実行する。あるいは、移動体通信端末１００とクレードル２００が接続されたことを契機に、インターネットなどを介して提供される番組表データを取得し、取得した番組表を表示部１４１に表示して、ユーザに所望する番組を選択させる。また、クレードル２００と接続された状態でテレビジョン放送を受信している場合において、移動体通信端末１００とクレードル２００との接続が解除された場合、当該接続解除の検出を契機に、テレビジョン受信動作を停止する。【選択図】  図１
2007043526.tif 000002
【特許請求の範囲】
【請求項１】
少なくともテレビジョン放送電波を受信して出力する受信手段を備えた移動体通信端末であって、
前記受信手段の動作に関する設定情報を記憶する設定記憶手段と、
前記移動体通信端末が充電台と接続されたことを契機に、前記移動体通信端末の動作を制御する制御手段と、を備え、
前記制御手段は、前記充電台との接続を契機に、前記設定記憶手段の前記設定情報に基づく動作を前記受信手段に実行させる、
ことを特徴とする移動体通信端末。
【請求項２】
前記設定記憶手段は、任意に指定されたチャンネルが設定された前記設定情報を記憶し、
前記制御手段は、前記設定情報に基づいて、設定されたチャンネルの受信を前記受信手段に実行させる、
ことを特徴とする請求項１に記載の移動体通信端末。
【請求項３】
前記設定記憶手段は、任意に指定されたチャンネルと当該チャンネルの受信開始時間とが対応づけられた前記設定情報を記憶し、
前記制御手段は、前記設定情報に基づいて、当該受信開始時間になったことを契機に、設定されたチャンネルの受信を前記受信手段に実行させる、
ことを特徴とする請求項１または２に記載の移動体通信端末。
【請求項４】
前記設定記憶手段は、任意に指定された複数のチャンネルとそれぞれのチャンネルの受信開始時間とが対応づけられた前記設定情報を記憶し、
前記制御手段は、各受信開始時間となったことを契機に、対応するチャンネルへの切り換えを前記受信手段に実行させる、
ことを特徴とする請求項１乃至３のいずれか１項に記載の移動体通信端末。
【請求項５】
前記設定情報に基づいて、前記移動体通信端末が前記充電台と接続されたことを契機に、通信ネットワークを介して提供される番組表情報を取得する番組表取得手段と、
前記番組表取得手段が取得した前記番組表情報を出力する番組表出力手段と、
前記番組表出力手段が出力した前記番組表情報に基づくユーザの選択入力を受け付ける入力手段と、をさらに備え、
前記制御手段は、前記入力手段の入力に基づいて、前記番組表から選択された番組の受信を前記受信手段に実行させる、
ことを特徴とする請求項１乃至４のいずれか１項に記載の移動体通信端末。
【請求項６】
前記番組表取得手段は、前記移動体通信端末が前記充電台と接続された時点で放送されている番組を示す番組表情報を取得する、
ことを特徴とする請求項５に記載の移動体通信端末。
【請求項７】
前記制御手段は、前記設定情報に基づく受信動作実行中に、前記移動体通信端末と前記充電台との接続が解除された場合、前記受信手段の動作を停止させる、
ことを特徴とする請求項１乃至６のいずれか１項に記載の移動体通信端末。
【請求項８】
前記制御手段は、前記移動体通信端末の電源を制御する電源制御手段をさらに備え、
前記電源制御手段は、
前記移動体通信端末が前記充電台と接続されたことを契機に、前記移動体通信端末の電源をオンし、
前記設定情報に基づく設定がされていない場合は、前記移動体通信端末の電源をオフする、
ことを特徴とする請求項１乃至７のいずれか１項に記載の移動体通信端末。
【請求項９】
テレビジョン受信機能を有する移動体通信端末を制御するコンピュータに、
前記テレビジョン受信機能に関する設定情報を記憶装置に記憶させる機能と、
前記移動体通信端末が充電台と接続されたことを契機に、前記移動体通信端末の電源をオンする機能と、
前記移動体通信端末の電源が前記充電台との接続を契機にオンされた場合、前記設定情報による設定がされているか否かを判別する機能と、
前記設定情報による設定がされている場合、当該設定情報に基づいた前記テレビジョン受信機能の動作を実行する機能と、
前記充電台との接続が解除されたことを契機に、実行中のテレビジョン受信動作を停止する機能と、
前記設定情報による設定がされていない場合、前記移動体通信端末の電源をオフする機能と、
を実現させることを特徴とするプログラム。
【請求項１０】
前記コンピュータに、
任意に指定されたチャンネルを前記設定情報として前記記憶装置に記憶させる機能と、
任意に指定されたチャンネルと当該チャンネルの受信開始時間とを前記設定情報として前記記憶装置に記憶させる機能と、
前記充電台との接続が検出された場合に、通信ネットワークを介して提供される番組表情報を取得する機能と、
前記取得された番組表情報を出力して、ユーザに番組を選択させる機能と、
前記番組表情報に基づいて選択された番組のチャンネルと放送開始時刻とを前記設定情報として前記記憶装置に記憶させる機能と、
をさらに実現させることを特徴とする請求項９に記載のプログラム。
【発明の詳細な説明】
【技術分野】
【０００１】
本発明は、移動体通信端末、および、プログラムに関し、特に、テレビジョン受信機能の利用に好適な移動体通信端末、および、プログラムに関する。
【背景技術】
【０００２】
携帯電話などの移動体通信においては、移動体通信端末をテレビジョン受信装置としても利用できるなどの多機能化が進んでいる。１台の移動体通信端末で種々の機能を利用できることから、携帯時のみならず、家庭などにおいても移動体通信端末の機能が利用される場合も多くなっている。このような場合、バッテリ消費などを考慮すると、充電台（クレードル、スタンド）に移動体通信端末を載置し、商用電源の供給を受けながら利用する形態が多くとられていることが考えられる。
【０００３】
このような利用形態を鑑み、充電台に載置した際に、充電台に接続されたアンテナ線によるテレビジョン受信をおこなうことで、受信状態を良好なものとする手法なども提案されている（例えば、特許文献１）。
【特許文献１】特開２００５−７３００５号公報
【発明の開示】
【発明が解決しようとする課題】
【０００４】
特許文献１に開示された手法では、受信状態を良好なものとすることができるが、テレビジョン受信に関するチャンネル選択等の操作はユーザが手動でおこなう必要があり、利便性が低かった。
【０００５】
本発明は、上記実状に鑑みてなされたものであり、より利便性の高い移動体通信端末を提供することを目的とする。
【課題を解決するための手段】
【０００６】
上記目的を達成するため、本発明の第１の観点にかかる移動体通信端末は、
少なくともテレビジョン放送電波を受信して出力する受信手段を備えた移動体通信端末であって、
前記受信手段の動作に関する設定情報を記憶する設定記憶手段と、
前記移動体通信端末が充電台と接続されたことを契機に、前記移動体通信端末の動作を制御する制御手段と、を備え、
前記制御手段は、前記充電台との接続を契機に、前記設定記憶手段の前記設定情報に基づく動作を前記受信手段に実行させる、
ことを特徴とする。
【０００７】
このような構成によれば、充電台（クレードル、スタンド）に接続したことを契機に、予め設定されていたテレビジョン受信に関する動作を自動的に実行することができる。
【０００８】
上記移動体通信端末において、
前記設定記憶手段は、任意に指定されたチャンネルが設定された前記設定情報を記憶し、
前記制御手段は、前記設定情報に基づいて、設定されたチャンネルの受信を前記受信手段に実行させることが望ましい。
【０００９】
このような構成によれば、ユーザが視聴を所望するチャンネルを予め設定しておくことで、移動体通信端末を充電台に接続したときに、自動的に所望するチャンネルの受信が開始される。
【００１０】
上記移動体通信端末において、
前記設定記憶手段は、任意に指定されたチャンネルと当該チャンネルの受信開始時間とが対応づけられた前記設定情報を記憶し、
前記制御手段は、前記設定情報に基づいて、当該受信開始時間になったことを契機に、設定されたチャンネルの受信を前記受信手段に実行させることが望ましい。
【００１１】
このような構成によれば、ユーザが視聴を所望するチャンネルとその開始時間とを予め設定しておくことで、移動体通信端末を充電台に接続した場合に、設定した時間に所望するチャンネルの受信が自動的に開始される。
【００１２】
前記移動体通信端末において、
前記設定記憶手段は、任意に指定された複数のチャンネルとそれぞれのチャンネルの受信開始時間とが対応づけられた前記設定情報を記憶し、
前記制御手段は、各受信開始時間となったことを契機に、対応するチャンネルへの切り換えを前記受信手段に実行させることが望ましい。
【００１３】
このような構成によれば、ユーザが視聴を所望するチャンネルとその開始時間を予め複数設定しておくことで、移動体通信端末を充電台に接続した場合に、設定したチャンネルに自動的に切り替わる。
【００１４】
上記移動体通信端末は、
前記設定情報に基づいて、前記移動体通信端末が前記充電台と接続されたことを契機に、通信ネットワークを介して提供される番組表情報を取得する番組表取得手段と、
前記番組表取得手段が取得した前記番組表情報を出力する番組表出力手段と、
前記番組表出力手段が出力した前記番組表情報に基づくユーザの選択入力を受け付ける入力手段と、をさらに備えていることが望ましく、この場合、
前記制御手段は、前記入力手段の入力に基づいて、前記番組表から選択された番組の受信を前記受信手段に実行させることが望ましい。
【００１５】
このような構成によれば、移動体通信端末を充電台に接続した場合に、インターネットなどを介して提供される番組表情報を自動的に受信し、ユーザに所望する番組を選択させることができる。そして、ユーザが番組表から所望する番組を選択した場合、当該番組の受信が開始される。
【００１６】
上記移動体通信端末において、
前記番組表取得手段は、前記移動体通信端末が前記充電台と接続された時点で放送されている番組を示す番組表情報を取得することが望ましい。
【００１７】
このような構成によれば、移動体通信端末を充電台に接続させた時点で放送されている番組の中から、ユーザに所望する番組を選択させることができる。
【００１８】
上記移動体通信端末において、
前記制御手段は、前記設定情報に基づく受信動作実行中に、前記移動体通信端末と前記充電台との接続が解除された場合、前記受信手段の動作を停止させてもよい。
【００１９】
このような構成によれば、充電台と接続している移動体通信端末が充電台から離された場合に、テレビジョン受信動作を自動的に停止させることができる。
【００２０】
上記移動体通信端末は、
前記制御手段は、前記移動体通信端末の電源を制御する電源制御手段をさらに備えていることが望ましく、この場合、
前記電源制御手段は、
前記移動体通信端末が前記充電台と接続されたことを契機に、前記移動体通信端末の電源をオンし、
前記設定情報に基づく設定がされていない場合は、前記移動体通信端末の電源をオフすることが望ましい。
【００２１】
このような構成によれば、電源がオフとなっている移動体通信端末を充電台に接続した場合、自動的に電源オンとなり、受信設定の有無が判別される。この場合において、テレビジョン受信動作に関する設定がされていない移動体通信端末を充電台に接続した場合は、移動体通信端末の電源を自動的にオフさせることができる。
【００２２】
上記目的を達成するため、本発明の第２の観点にかかるプログラムは、
テレビジョン受信機能を有する移動体通信端末を制御するコンピュータに、
前記テレビジョン受信機能に関する設定情報を記憶装置に記憶させる機能と、
前記移動体通信端末が充電台と接続されたことを契機に、前記移動体通信端末の電源をオンする機能と、
前記移動体通信端末の電源が前記充電台との接続を契機にオンされた場合、前記設定情報による設定がされているか否かを判別する機能と、
前記設定情報による設定がされている場合、当該設定情報に基づいた前記テレビジョン受信機能の動作を実行する機能と、
前記充電台との接続が解除されたことを契機に、実行中の前記テレビジョン受信機能の動作を停止する機能と、
前記設定情報による設定がされていない場合、前記移動体通信端末の電源をオフする機能と、
を実現させることを特徴とする。
【００２３】
上記プログラムは、
前記コンピュータに、
任意に指定されたチャンネルを前記設定情報として前記記憶装置に記憶させる機能と、
任意に指定されたチャンネルと当該チャンネルの受信開始時間とを前記設定情報として前記記憶装置に記憶させる機能と、
前記充電台との接続が検出された場合に、通信ネットワークを介して提供される番組表情報を取得する機能と、
前記取得された番組表情報を出力して、ユーザに番組を選択させる機能と、
前記番組表情報に基づいて選択された番組のチャンネルと放送開始時刻とを前記設定情報として前記記憶装置に記憶させる機能と、
をさらに実現させることが望ましい。
【００２４】
このようなプログラムを適用することで、既存の移動体通信端末を上記移動体通信端末として機能させることができる。
【発明の効果】
【００２５】
本発明によれば、移動体通信端末を充電台に接続した場合に、予め設定したテレビジョン受信に関する動作を自動的に実行することができる。
【発明を実施するための最良の形態】
【００２６】
以下、図面を参照して、本発明にかかる実施形態を説明する。本実施形態では、携帯電話やＰＨＳ（Personal Handyphone System）に用いられる移動体通信端末に本発明を適用した場合を説明する。本実施形態にかかる移動体通信端末１００は、基本機能である音声通話機能（電話機能）の他に、テレビジョン放送電波を受信して出力するテレビジョン受信機能を有しているものとする。また、移動体通信端末１００の動作電源となるバッテリへ充電する場合や、商用電源によって移動体通信端末１００を駆動させる場合は、所定の充電台（クレードル、スタンド）を用いるものとする。本実施形態では、図１に示すようなクレードル２００に移動体通信端末１００を載置して充電等をおこなう。
【００２７】
なお、本実施形態にかかる移動体通信端末１００は、図１、２に示すように、回転ヒンジ部ＲＨによって接続された２つの可動筐体部（筐体１００Ａと筐体１００Ｂ）による折りたたみ可能な構成を有しており、クレードル２００を用いて充電等をする場合は、図１に示すように、移動体通信端末１００を折りたたんだ状態でクレードル２００に載置する。
【００２８】
ここで、本実施形態では、クレードル２００に載置した状態で移動体通信端末１００のテレビジョン受信機能を利用することを想定する。よって、図１に示すように、移動体通信端末１００の表示画面（表示部１４１）が露出するように移動体通信端末１００が折りたたまれるとともに、表示画面がクレードル２００の正面側を向き、かつ、正しい表示方向となるよう移動体通信端末１００を載置する。
【００２９】
この場合、テレビジョン画面の表示に好適となるよう、表示画面の長手方向が水平方向となるように移動体通信端末１００がクレードル２００に載置されるものとする。したがって、移動体通信端末１００とクレードル２００とを接続するコネクタは、移動体通信端末１００側では移動体通信端末１００の側面部に配置される。そして、クレードル２００側では、クレードル２００の載置面上にコネクタが配置され、折りたたんだ移動体通信端末１００をクレードル２００上に載置した際にそれぞれのコネクタが係合されることとなる。
【００３０】
このような移動体通信端末１００の内部構成を、図３を参照して説明する。図３は移動体通信端末１００の構成を示すブロック図である。図示するように、移動体通信端末１００は、制御部１１０、通信制御部１２０、入力部１３０、出力部１４０、チューナ部１５０、コネクタ部１６０、電源部１７０、記憶部１８０、などから構成される。
【００３１】
制御部１１０は、例えば、ＣＰＵ（Central Processing Unit：中央演算処理装置）やワークエリアとなる所定の記憶装置（ＲＡＭ（Random Access Memory）など）から構成され、移動体通信端末１００の各部を制御するとともに、記憶部１８０に格納されている所定の動作プログラムに基づいて後述する各処理を実行する。なお、後述する移動体通信端末１００の各構成はそれぞれ制御部１１０と接続されており、各構成間でのデータ授受などは制御部１１０を介しておこなわれるものとする。
【００３２】
通信制御部１２０は、例えば、所定の無線通信回路などから構成され、所定のアンテナ部１２４を介した無線通信をおこなう。通信制御部１２０はさらに、音声通信部１２１、データ通信部１２２、テレビジョン受信部１２３、などを有する。
【００３３】
音声通信部１２１は、移動体通信端末１００の電話機能（音声通話機能）にかかる通信を制御する。ここでは、例えば、アンテナ部１２４を制御して、移動体通信網などの電話回線網を介した音声通話のための無線通信をおこなうとともに、音声の符号化処理や復号処理などをおこなう。
【００３４】
データ通信部１２２は、移動体通信端末１００のデータ通信機能にかかる通信を制御する。本実施形態では、例えば、インターネットなどのＩＰ網を介したデータ通信を介しておこなうものとし、データ通信部１２２がアンテナ部１２４を制御することで、データ通信網への無線接続やデータ送受信がおこなわれる。
【００３５】
なお、音声通信部１２１およびデータ通信部１２２は、移動体通信端末１００に移動体通信サービスを提供する事業体（いわゆる、キャリア）が提供する基地局との間の無線通信をおこなう。
【００３６】
テレビジョン受信部（ＴＶ受信部）１２３は、チューナ部１５０（詳細後述）との協働により、アンテナ部１２４を介してテレビジョン放送電波の受信をおこなう。
【００３７】
アンテナ部１２４は、例えば、所定のアンテナ回路やアンテナ線などから構成され、少なくとも、移動体通信とテレビジョン電波受信の双方に対応したものである。
【００３８】
入力部１３０は、操作部１３１や音声入力部１３２（図２参照）などから構成され、移動体通信端末１００に対するユーザ入力のためのインタフェースとして機能する。
【００３９】
操作部１３１は、ユーザによって操作される所定のボタンやキーなど（例えば、文字キー（テンキー）や機能ボタン、十字キーなど）から構成され（図２参照）、ユーザ操作に応じた入力信号を制御部１１０に入力する。
【００４０】
音声入力部１３２は、例えば、マイクロフォンなどから構成され、音声通話時のユーザ発話音声を入力する。
【００４１】
出力部１４０は、表示部１４１、音声出力部１４２など（図２参照）から構成され、種々の情報を出力する。
【００４２】
表示部１４１は、例えば、液晶表示装置などから構成され、移動体通信端末１００の機能にかかる種々の画面を表示する。本実施形態では、移動体通信端末１００のテレビジョン受信機能によって受信されたテレビジョン放送の画像の表示出力にも用いられる。
【００４３】
音声出力部１４２は、例えば、スピーカなどから構成され、音声通話時の着信音や受話音声の他、テレビジョン放送の音声などを出力する。
【００４４】
チューナ部１５０は、テレビジョン放送受信用のチューナ回路などから構成され、制御部１１０との協働により、受信するテレビジョン放送の選局などをおこなう。
【００４５】
コネクタ部１６０は、クレードル２００との接続用のコネクタであり、受電用端子などから構成される。コネクタ部１６０は、クレードル２００に配置されている給電用のコネクタと対をなし、それぞれが接続されることで、クレードル２００から受電して電源部１７０に供給する。
【００４６】
電源部１７０は、所定の電源回路や充電式バッテリなどから構成され、クレードル２００と接続されたコネクタ部１６０を介して供給された商用電源をバッテリに充電する他、クレードル２００から供給される電力やバッテリに蓄積された電力を移動体通信端末１００の各部に供給する。
【００４７】
記憶部１８０は、例えば、ＲＯＭ（Read Only Memory）やフラッシュメモリなどといった所定の記憶装置から構成され、制御部１１０が実行する動作プログラムの他、各処理の実行に必要なデータや各処理の実行によって生成されたデータなどを格納する。特に、本実施形態では、移動体通信端末１００のテレビジョン受信機能に関する設定情報（詳細後述）などを格納する。
【００４８】
記憶部１８０に格納される動作プログラムは、移動体通信端末１００の基本動作を司る任意の基本プログラムなどの他に、後述する各処理を実現するための動作プログラムが格納されている。後述する移動体通信端末１００による処理は、制御部１１０がこれらの動作プログラムを実行することで実現される。すなわち、記憶部１８０に格納されている動作プログラムを実行することで、制御部１１０は、図４に示すような構成として機能する。図示するように、制御部１１０は、接続検出部１１１、設定部１１２、受信制御部１１３、電源制御部１１４、などとして機能する。
【００４９】
接続検出部１１１は、電源部１７０との協働により、移動体通信端末１００とクレードル２００との接続および接続解除を検出する。
【００５０】
設定部１１２は、操作部１３１や記憶部１８０との協働により、テレビジョン受信機能に関する種々の設定（以下、「受信設定」とする）に関する処理をおこなう。設定部１１２は、操作部１３１のユーザ操作に基づいた設定情報の作成や、設定変更などをおこなって記憶部１８０に格納する。なお、設定部１１２は、受信設定に必要な種々の画面を生成して表示部１４１に表示させるものとする。
【００５１】
受信制御部１１３は、設定情報に基づいて通信制御部１２０やチューナ部１５０などを制御し、設定情報に基づくテレビジョン受信動作を実行させる。なお、受信制御部１１３は、テレビジョン受信機能のアプリケーションプログラムが実行されることで実現されるものとし、これにより、通信制御部１２０やチューナ部１５０の制御の他、出力部１４０と協働して、テレビジョン画像の表示や音声再生などにかかる処理をおこなうものとする。また、受信制御部１１３は、データ通信部１２２との協働により、インターネットなどを介して電子番組表（例えば、ＥＰＧ（Electronic Program Guide）など）の取得をおこなう。
【００５２】
電源制御部１１４は、設定情報などに基づいて電源部１７０を制御し、移動体通信端末１００の電源オン／オフなどをおこなう。
【００５３】
本実施形態では、制御部１１０によって上記機能構成が論理的に実現されるが、例えば、ＡＳＩＣ（Application Specific Integrated Circuit：特定用途向け集積回路）などの専用回路によって構成することで、これらの機能を物理的な構成によって実現してもよい。なお、制御部１１０は、時刻表示などに用いるためのタイマ動作をおこなっているものとし、これにより現在時刻情報が随時取得可能であることとする。
【００５４】
以上説明した移動体通信端末１００の各構成は、本発明を実現するために必要な構成であり、移動体通信端末としての基本機能に必要なその他の構成や、種々の付加機能に必要な構成などは、必要に応じて備えられているものとする。
【００５５】
次に、クレードル２００について説明する。上述したように、クレードル２００は移動体通信端末１００が載置されることで充電等をおこなうものであり、図１に示すような移動体通信端末１００を載置可能な筐体を有するとともに、商用電源用のコンセントやコードなどを備え商用電源を取得する。また、移動体通信端末１００が載置される面には、移動体通信端末１００が載置された際のコネクタ部１６０と係合する位置に給電用コネクタが配置される。移動体通信端末１００の載置によりコネクタ同士が接続されると、取得した商用電源を順次移動体通信端末１００に供給する。
【００５６】
以上のような構成を有する移動体通信端末１００による動作を以下説明する。まず、移動体通信端末１００で受信設定をおこなう際に実行される「設定処理」を、図５に示すフローチャートを参照して説明する。この「設定処理」は、ユーザが操作部１３１を操作して設定開始を指示したことを契機に開始される。
【００５７】
処理が開始されると、設定部１１２は、設定モードをユーザに選択させるための「モードメニュー画面」を表示部１４１に表示する（ステップＳ１０１）。本実施形態では、設定モードとして「チャンネルモード」と「番組表モード」の２種類を想定する。チャンネルモードは、ユーザのマニュアル操作によって視聴するチャンネルや時刻を設定するモードであり、番組表モードは、インターネットなどを介して提供される電子番組表に基づいて設定をおこなうモードである。
【００５８】
図６（ａ）に示すように、「モードメニュー画面」では、いずれかのモードが選択可能に表示される。ユーザは、表示に応じて操作部１３１を操作し、所望する設定モードを選択する。
【００５９】
「チャンネルモード」が選択された場合（ステップＳ１０２：Ｙｅｓ）、設定部１１２は、図６（ｂ）に示すような「デフォルトチャンネル指定画面」を表示部１４１に表示する（ステップＳ１０３）。「デフォルトチャンネル指定画面」は、デフォルトチャンネルの指定要否の選択と、デフォルトチャンネルを指定する場合のチャンネルを選択するための画面である。ここで、デフォルトチャンネルとは、移動体通信端末１００のテレビジョン受信機能の起動時に受信開始するチャンネルである。ユーザは、操作部１３１を操作し、デフォルトチャンネルの指定要否およびデフォルトチャンネルとして指定するチャンネルを選択する。
【００６０】
デフォルトチャンネルが指定された場合（ステップＳ１０４：Ｎｏ）、設定部１１２は、選択された設定モード（すなわち、チャンネルモード）、デフォルトチャンネルとして選択されたチャンネルを示す情報、および、当該チャンネルがデフォルトチャンネルであることを示す情報を対応づけた設定情報を作成し（ステップＳ１０８）、作成した設定情報を記憶部１８０に格納して（ステップＳ１０９）、処理を終了する。
【００６１】
一方、デフォルトチャンネルの指定がない場合（ステップＳ１０４：Ｙｅｓ）、設定部１１２は、図６（ｃ）に示すような「タイマ設定画面」を表示部１４１に表示する（ステップＳ１０５）。図示するように、「タイマ設定画面」には、視聴を所望するチャンネルと当該チャンネルの受信開始時間帯とが選択可能に表示される。
【００６２】
ユーザは、操作部１３１を操作し、視聴を所望するチャンネルと、当該チャンネルの受信開始時間帯を選択する。この操作により、ユーザが指定したチャンネルと当該チャンネルの受信開始時間帯を示す情報が制御部１１０に入力される（ステップＳ１０６）。
【００６３】
また、図６（ｃ）に示すように、「タイマ設定画面」には、タイマ設定の継続か終了かを選択するためのボタンが表示されている。本実施形態では、複数のタイマ設定が可能であるものとし、ユーザが複数のタイマ設定を所望する場合には、操作部１３１を操作して「継続」を指定するボタンを選択する。
【００６４】
「継続」が選択された場合（ステップＳ１０７：Ｎｏ）、ステップＳ１０５に戻って、さらなるタイマ設定をおこなう。
【００６５】
「終了」が選択された場合（ステップＳ１０７：Ｙｅｓ）は、設定部１１２は、選択された設定モード（すなわち、チャンネルモード）、タイマ設定されたチャンネルと受信開始時間帯を示す情報とを対応づけた設定情報を作成し（ステップＳ１０８）、作成した設定情報を記憶部１８０に格納して（ステップＳ１０９）、処理を終了する。
【００６６】
なお、設定モードとして「番組表モード」が選択された場合（ステップＳ１０２：Ｎｏ）、設定部１１２は、選択された設定モードが番組表モードであることを示す設定情報を作成し（ステップＳ１０８）、作成した設定情報を記憶部１８０に格納して（ステップＳ１０９）、処理を終了する。
【００６７】
以上のように、設定処理の実行により、移動体通信端末１００でのテレビジョン受信に関する動作が設定され、設定内容を示す設定情報が記憶部１８０に格納される。
【００６８】
（実施形態１）
次に、移動体通信端末１００をクレードル２００に載置した場合の動作の一例を実施形態１として説明する。クレードル２００に載置した際に移動体通信端末１００の制御部１１０が実行する「受信制御処理」を、図７に示すフローチャートを参照して以下説明する。この「受信制御処理」は、移動体通信端末１００がクレードル２００に載置されたことを契機に開始される。すなわち、接続検出部１１１が、移動体通信端末１００のコネクタ部１６０とクレードル２００の給電用コネクタとの接続を検出したことを契機に開始される。
【００６９】
この場合、コネクタの接続によってクレードル２００からの給電が開始され、コネクタ部１６０から電源部１７０に電力が供給されると、電源部１７０がその旨を制御部１１０に通知する。接続検出部１１１は、電源部１７０からの通知に基づいて、移動体通信端末１００がクレードル２００に接続されたことを検出する。なお、本実施形態においては、移動体通信端末１００の電源がオンされた状態でクレードル２００に接続されるものとする。
【００７０】
クレードル２００との接続が検出されて処理が開始されると、受信制御部１１３が記憶部１８０にアクセスし、受信設定に関する設定情報が格納されているか否かを判別する（ステップＳ２０１）。
【００７１】
受信設定の設定情報が記憶部１８０に格納されていない場合（ステップＳ２０１：Ｎｏ）、そのまま処理を終了する。
【００７２】
一方、設定情報が記憶部１８０に格納されている場合（ステップＳ２０１：Ｙｅｓ）、受信制御部１１３は、当該設定情報に設定されている設定モードがチャンネルモードであるか否かを判別する（ステップＳ２０２）。
【００７３】
設定モードがチャンネルモードではない場合、すなわち、番組表モードである場合（ステップＳ２０２：Ｎｏ）、受信制御部１１３は、電子番組表データを取得するための「番組表取得処理」を実行する（ステップＳ３００）。この番組表取得処理の詳細は後述する。
【００７４】
一方、設定モードがチャンネルモードである場合（ステップＳ２０２：Ｙｅｓ）、受信制御部１１３は、当該設定情報に含まれている受信設定に受信開始時間帯が指定されているか（タイマ設定されているか）否かを判別する（ステップＳ２０３）。
【００７５】
受信開始時間帯が指定されている場合（ステップＳ２０３：Ｙｅｓ）、受信制御部１１３は、タイマ動作によって取得される現在時刻に該当する受信開始時間帯が指定されている受信設定があるか否かを判別する（ステップＳ２０４）。
【００７６】
現在時刻に該当する受信開始時間帯が指定されている場合（ステップＳ２０４：Ｙｅｓ）、受信制御部１１３は、当該受信設定で指定されているチャンネルの選局をチューナ部１５０に実行させる（ステップＳ２０５）。
【００７７】
この場合、受信制御部１１３は、記憶部１８０にアクセスし、当該受信設定についての設定情報を削除する（ステップＳ２０６）。
【００７８】
そして、受信制御部１１３は、チューナ部１５０が選局したチャンネルの放送電波の受信をテレビジョン受信部１２３に実行させる（ステップＳ２０７）。
【００７９】
なお、設定されている受信開始時間帯が現在時刻に該当しない場合（ステップＳ２０４：Ｎｏ）、当該時間帯となるまで待機し、現在時刻が指定された受信開始時間帯となったことを契機にチャンネル選局と受信を開始させる（ステップＳ２０５、Ｓ２０７）。
【００８０】
また、設定情報にデフォルトチャンネルが設定されている場合（ステップＳ２０３：Ｎｏ）は、受信制御部１１３が当該チャンネルの選局をチューナ部１５０に実行させる（ステップＳ２０５）。そして、設定情報の削除（ステップＳ２０６）の後、受信制御部１１３は、チューナ部１５０が選局したチャンネルの放送電波の受信をテレビジョン受信部１２３に実行させる（ステップＳ２０７）。
【００８１】
すなわち、デフォルトチャンネルが設定されている場合は、移動体通信端末１００をクレードル２００に載置させたことを契機に、設定されているチャンネルの受信が開始される。
【００８２】
設定情報に基づいてチューナ部１５０が選局した場合、ステップＳ２０６にて当該設定情報を削除するが、例えば、タイマ設定が複数ある場合は、記憶部１８０に他のタイマ設定に関する設定情報が残存することになる（ステップＳ２０８：Ｎｏ）。この場合、ステップＳ２０２に戻り、残存する設定情報に基づく動作が実行される。すなわち、タイマ設定が複数ある場合には、次の受信開始時間帯が指定されている受信設定についてステップＳ２０４〜Ｓ２０６の処理をおこなうことにより、現在時刻が次の受信開始時間帯となった時点で、設定されているチャンネルの受信が実行される。これにより、受信開始時間帯が指定された複数の受信設定がある場合、それぞれの受信設定に指定された受信開始時間帯となったときに、指定されたチャンネルに順次切り換えられることになる。
【００８３】
また、現在実行中の動作に関する受信設定以外の設定情報がない場合（ステップＳ２０８：Ｙｅｓ）では、当該受信動作中に移動体通信端末１００がクレードル２００から離れたことを契機に（ステップＳ２０９：Ｙｅｓ）、実行中の受信動作を停止して（ステップＳ２１０）、処理を終了する。この場合、移動体通信端末１００がクレードル２００から離れたことによる給電断を電源部１７０が制御部１１０に通知する。この通知に基づいて、接続検出部１１１は、移動体通信端末１００とクレードル２００との接続が解除されたことを検出し、受信制御部１１３がテレビジョン受信部１２３の受信動作を停止させる。
【００８４】
なお、クレードル２００との接続解除がない場合（ステップＳ２０９：Ｎｏ）は、現在実行中の受信動作を継続する（ステップＳ２０７）。
【００８５】
ここで、設定モードが番組表モードである場合に実行される「番組表取得処理」を、図８に示すフローチャートを参照して説明する。
【００８６】
処理が開始されると、受信制御部１１３は、データ通信部１２２を制御し、インターネットなどを介して番組表データを提供するサイト（以下、「番組表提供サイト」とする）にアクセスし、現在時刻に対応する番組表データの提供を要求する（ステップＳ３０１）。なお、番組表提供サイトを指定するためのアドレス情報（例えば、ＵＲＬ（Uniform Resource Locator））は、予め記憶部１８０に格納されているものとし、このアドレス情報に基づいて、データ通信部１２２が番組表提供サイトにアクセスする。
【００８７】
番組表提供サイトでは、移動体通信端末１００からの提供要求に応じて、現在時刻に対応する番組表データを移動体通信端末１００に送信する。
【００８８】
移動体通信端末１００では、番組表提供サイトから送信された番組表データをデータ通信部１２２が受信し（ステップＳ３０２）、制御部１１０に入力する。
【００８９】
受信制御部１１３は、このようにして番組表データを取得すると、表示部１４１との協働により、取得した番組表データに基づく番組表を含んだ番組表画面（図９）を生成し、表示部１４１に表示する（ステップＳ３０３）。
【００９０】
ここで、現在時刻に対応する番組表データを取得しているので、現在時刻、すなわち移動体通信端末１００をクレードル２００に載置した時点で放送されているテレビジョン番組を示した番組表が表示部１４１に表示される。この番組表は、例えば、所定のマークアップ言語などによって記述され、ユーザによる操作部１３１の操作で任意の番組が選択可能となるよう表示される。
【００９１】
また、番組表画面には、番組の選択をおこなわないことを指定するためのボタン（「終了」ボタン）が配置され、視聴を所望する番組がない場合、ユーザは操作部１３１を操作して「終了」ボタンを選択する。
【００９２】
「終了」ボタンが選択されると（ステップＳ３０４：Ｎｏ）、そのまま処理を終了する。すなわち、テレビジョン受信動作がおこなわれない。
【００９３】
一方、ユーザが操作部１３１を操作し、番組表内のいずれかの番組を選択すると（ステップＳ３０４：Ｙｅｓ）、受信制御部１１３は、選択された番組を放送しているチャンネルを示すチャンネル情報を番組表データから取得し（ステップＳ３０５）、図７に示す「受信制御処理」のステップＳ２０５に戻る。すなわち、番組表から選択された番組を放送しているチャンネルがチューナ部１５０によって選局され（ステップＳ２０５）、テレビジョン受信部１２３が当該チャンネルの放送電波を受信する（ステップＳ２０７）。
【００９４】
以上のように、実施形態１にかかる動作により、移動体通信端末１００がクレードル２００と接続されたことを契機に、設定情報に基づいたテレビジョン受信動作が自動的に実行される。
【００９５】
（実施形態２）
上記実施形態１では、移動体通信端末１００とクレードル２００との接続を契機に、移動体通信端末１００のテレビジョン受信機能の制御をおこなったが、接続を契機に移動体通信端末１００の電源を制御するよう動作してもよい。この場合の移動体通信端末１００の動作例を実施形態２として以下説明する。
【００９６】
本実施形態では、移動体通信端末１００がクレードル２００と接続されたことを契機に、移動体通信端末１００の制御部１１０が「電源制御処理」を実行する。なお、本実施形態においては、移動体通信端末１００の電源がオフされた状態でクレードル２００と接続されるものとする。
【００９７】
この「電源制御処理」を、図１０に示すフローチャートを参照して説明する。なお、上記実施形態１における「受信制御処理」の場合と同様、接続検出部１１１による接続検出を契機に処理が開始されるものとする。
【００９８】
処理が開始されると、電源制御部１１４が、移動体通信端末１００の電源オンを電源部１７０に指示する。電源部１７０は、電源制御部１１４からの指示に応じて移動体通信端末１００の電源をオンする（ステップＳ４０１）。この場合、電源部１７０は、クレードル２００から給電された電力を移動体通信端末１００の各部に供給することで、移動体通信端末１００の電源をオンする。
【００９９】
移動体通信端末１００の電源がオンされると、受信制御部１１３が記憶部１８０にアクセスし、テレビジョン受信機能に関する設定情報があるか否かを判別する（ステップＳ４０２）。
【０１００】
設定情報がある場合（ステップＳ４０２：Ｎｏ）、受信制御部１１３は、上記実施形態１における「受信制御処理」（図７）のステップＳ２０２以降の処理を実行する。すなわち、クレードル２００との接続によって移動体通信端末１００の電源がオンされた場合において、設定情報による設定があれば、当該設定情報に基づいた受信動作が実行される。
【０１０１】
一方、設定情報がない場合（ステップＳ４０２：Ｙｅｓ）、電源制御部１１４は、移動体通信端末１００の電源オフを電源部１７０に指示する。電源部１７０は、電源制御部１１４からの指示に応じて移動体通信端末１００の電源をオフし（ステップＳ４０３）、処理を終了する。この場合、クレードル２００からの給電によるバッテリ充電などがおこなわれる。
【０１０２】
上記実施形態２にかかる動作により、移動体通信端末１００の電源がオフされた状態でクレードル２００と接続されると自動的に電源がオンし、テレビジョン受信動作に関する設定があれば、当該設定情報に基づく受信動作が自動的に実行される。また、設定がない場合には、移動体通信端末１００の電源を自動的にオフする。
【０１０３】
以上説明したように、本発明の実施形態にかかる移動体通信端末１００によれば、移動体通信端末１００をクレードル２００と接続した場合に、予め設定された受信設定に基づく受信動作が自動的に実行される。これにより、家庭などで移動体通信端末１００をテレビジョン受像装置として利用する場合に、ユーザの所望するチャンネルや番組が自動的に受信されるので、ユーザの利便性を向上させることができる。
【０１０４】
上記各実施形態は一例であり、本発明の適用範囲はこれに限られない。すなわち、種々の応用が可能であり、あらゆる実施形態が本発明の範囲に含まれる。
【０１０５】
例えば、上記実施形態においては、設定モードのいずれか一方が選択されるものとしたが、複数の設定モードを設定できるようにしてもよい。この場合、例えば、移動体通信端末１００とクレードル２００が接続された際に、チャンネルモードで設定されたデフォルトチャンネルの受信と番組表データの取得が同時に実行されてもよい。
【０１０６】
また、上記実施形態では、デフォルトチャンネルの設定とタイマ設定とは択一的に設定されるものとしたが、両方の設定をおこなえるようにしてもよい。この場合、例えば、移動体通信端末１００とクレードル２００が接続された際には、デフォルトチャンネルの受信を開始し、その後、受信開始時間帯が指定されているチャンネルの受信に切り換えるように動作することができる。
【０１０７】
また、上記実施形態では、移動体通信端末１００とクレードル２００とが接続された時点で放送されている番組を示す番組表データを取得するものとしたが、その他の時間帯に関する番組表データを取得してもよい。なお、上記実施形態では、移動体通信端末１００とクレードル２００を接続したことを契機に、番組表提供サイトにアクセスして番組表データを取得するものとしたが、予め番組表データを取得しておき、記憶部１８０などに格納しておいてもよい。この場合、番組表取得処理が開始された場合に、記憶部１８０に格納してある番組表データに基づいて番組表を表示してユーザに番組を選択させてもよい。
【０１０８】
なお、上記実施形態で示した設定内容は一例であり、テレビジョン受信動作に関する設定であれば、任意の設定内容が含まれていてもよい。例えば、移動体通信端末１００にテレビジョン放送の録画機能がある場合には、受信したテレビジョン放送の録画動作に関する設定がされてもよい。
【０１０９】
また、上記実施形態におけるタイマ設定では、受信開始時間帯を選択して指定するものとしたが、受信を開始する時間が指定できるのであれば、これに限らず、任意の方法で指定してもよい。例えば、ユーザの数値入力によって受信開始時刻を指定してもよい。また、例えば、受信開始時間の他に、受信終了時間の指定を設定情報に含ませてもよい。この場合、受信制御部１１３は、指定された受信終了時間となったときに、テレビジョン受信部１２３による受信動作を停止させてもよい。
【０１１０】
上記実施形態では、移動体通信端末１００とクレードル２００との接続が解除されたことを契機にテレビジョン受信動作を停止させたが、接続解除後も引き続きテレビジョン受信動作を継続するように動作してもよい。
【０１１１】
また、上記実施形態では、折りたたみ式の移動体通信端末１００が折りたたまれた状態でクレードル２００に載置されるものとしたが、充電台（クレードル）と接続した状態で、ユーザが視聴可能にテレビジョン放送を受信・出力できるのであれば、移動体通信端末１００の形態等は任意である。例えば、折りたたまれていない状態でクレードル２００に載置されてもよく、あるいは、折りたたみ式ではない筐体（例えば、ストレート型やスライド型など）であってもよい。
【０１１２】
また、上記実施形態では、移動体通信端末１００のコネクタ部１６０とクレードル２００の給電コネクタとの接続に基づいて、移動体通信端末１００とクレードル２００との接続を検出したが、検出方法はこれに限られず任意である。例えば、電力用コネクタ以外のコネクタ（例えば、パーソナルコンピュータなどと接続するためのデータ通信用コネクタなど）との接続に基づいて、移動体通信端末１００とクレードル２００との接続を検出してもよい。あるいは、所定のセンサを移動体通信端末１００もしくはクレードル２００に配置することで、クレードル２００に移動体通信端末１００が載置されたことを検出するようにしてもよい。
【０１１３】
なお、上記実施形態の移動体通信端末１００のように、本発明にかかる構成を予め有する移動体通信端末によって本発明を実現できることはもとより、テレビジョン受信機能を有する既存の移動体通信端末にプログラムを適用することでも本発明を実現することができる。
【０１１４】
この場合、既存の移動体通信端末を制御するコンピュータ（例えば、ＣＰＵ）が、上記実施形態の制御部１１０によって実現される各機能構成として機能させるプログラムを適用することで、既存の移動体通信端末を上記実施形態の移動体通信端末１００として機能させることができる。すなわち、上記実施形態の制御部１１０が実行した動作プログラムと同様の動作プログラムを、既存の移動体通信端末の記憶装置にインストールし、これを当該移動体通信端末の制御装置（ＣＰＵ）が実行することで、本発明にかかる移動体通信端末として機能させることができる。
【０１１５】
このようなプログラムを提供する形態は任意であり、例えば、インターネットなどの通信媒体を介して配布することで提供可能であることはもとより、例えば、所定の記録媒体（例えば、メモリカードなど）に格納して提供することができる。
【図面の簡単な説明】
【０１１６】
【図１】本発明の実施形態にかかる移動体通信端末とクレードルの外観構成を示す図である。
【図２】本発明の実施形態にかかる移動体通信端末の詳細な外観構成を示す図である。
【図３】図１、２に示す移動体通信端末の内部構成を示すブロック図である。
【図４】図３に示す制御部によって実現される機能構成を示す機能ブロック図である。
【図５】本発明の実施形態にかかる「設定処理」を説明するためのフローチャートである。
【図６】図５に示す「設定処理」における画面表示例を示す図であり、（ａ）は「モードメニュー画面」の表示例を示し、（ｂ）は「デフォルトチャンネル指定画面」の表示例を示し、（ｃ）は「タイマ設定画面」の表示例を示す。
【図７】本発明の実施形態１にかかる「受信制御処理」を説明するためのフローチャートである。
【図８】図７に示す受信制御処理で実行される「番組表取得処理」を説明するためのフローチャートである。
【図９】図８に示す番組表取得処理で表示される「番組表画面」の表示例を示す図である。
【図１０】本発明の実施形態２にかかる「電源制御処理」を説明するためのフローチャートである。
【符号の説明】
【０１１７】
１００…移動体通信端末、１００Ａ…筐体、１００Ｂ…筐体、ＲＨ…回転ヒンジ部、１１０…制御部、１１１…接続検出部、１１２…設定部、１１３…受信制御部、１１４…電源制御部、１２０…通信制御部、１２１…音声通信部、１２２…データ通信部、１２３…テレビジョン受信部、１２４…アンテナ部、１３０…入力部、１３１…操作部、１３２…音声入力部、１４０…出力部、１４１…表示部、１４２…音声出力部、１５０…チューナ部、１６０…コネクタ部、１７０…電源部、１８０…記憶部
【図１】
2007043526.tif 000003
【図２】
2007043526.tif 000004
【図３】
2007043526.tif 000005
【図４】
2007043526.tif 000006
【図５】
2007043526.tif 000007
【図６】
2007043526.tif 000008
【図７】
2007043526.tif 000009
【図８】
2007043526.tif 000010
【図９】
2007043526.tif 000011
【図１０】
2007043526.tif 000012